(57)【特許請求の範囲】
【請求項１】
それぞれ第１信号処理部を備える複数の信号処理チャンネルを備え、その各信号処理チャンネルに入力する音響信号を前記信号処理部により処理する音響信号処理装置であって、
前記信号処理チャンネルの第１信号処理部と共通の信号処理を、前記第１信号処理部が使用する第１パラメータと独立に編集可能な第２パラメータの値に従って実行する第２信号処理部と、
前記信号処理チャンネルにおける指定された位置の音響信号を試聴用の音響信号として取り出して前記第２信号処理部に供給する取出手段と、
ユーザから受け付けた指示に従って前記第２パラメータの値を前記信号処理チャンネルにおける信号処理に反映させる設定手段とを備えることを特徴とする音響信号処理装置。
【請求項２】
請求項１に記載の音響信号処理装置であって、
前記設定手段は、前記第２パラメータの値を、前記複数の信号処理チャンネルのうちユーザによって選択された特定の信号処理チャンネルにおける信号処理に反映させることを特徴とする音響信号処理装置。
【請求項３】
請求項１又は２に記載の音響信号処理装置であって、
前記取出手段が前記信号処理チャンネルから音響信号を取り出す位置を選択する第１選択手段を備え、
前記設定手段は、前記選択手段が選択した位置が前記第１信号処理部よりも前の位置であれば、前記反映を、前記第１パラメータの値を前記第２パラメータの値で上書きすることにより行うことを特徴とする音響信号処理装置。
【請求項４】
請求項１乃至３のいずれか一項に記載の音響信号処理装置であって、
前記取出手段が前記信号処理チャンネルから音響信号を取り出す位置を選択する第１選択手段を備え、
前記設定手段は、前記選択手段が選択した位置が前記第１信号処理部よりも後の位置であれば、前記反映を、前記第１パラメータの値に前記第２パラメータの値を合成することにより行うことを特徴とする音響信号処理装置。
【請求項５】
請求項１乃至４のいずれか一項に記載の音響信号処理装置であって、
前記取出手段がどの信号処理チャンネルから音響信号を取り出すかを選択する第２選択手段を備え、
前記第２選択手段が信号処理チャンネルを新たに選択した場合に、前記第２パラメータの値を、前記新たに選択した信号処理チャンネルにおける前記第１パラメータの値に変更することを特徴とする音響信号処理装置。
【請求項６】
請求項５に記載の音響信号処理装置であって、
ユーザから受け付けた指示に従って、前記第２選択手段が選択している信号処理チャンネルにおける前記第１パラメータの値を、前記第２パラメータの値に変更する手段を備えることを特徴とする音響信号処理装置。
【請求項７】
請求項１乃至４のいずれか一項に記載の音響信号処理装置であって、
前記取出手段が、ユーザが選択した複数の信号処理チャンネルから音響信号を取り出してそれらをミキシングすることにより、試聴用の音響信号を生成する手段を備え、
前記ユーザが選択した複数の信号処理チャンネルのうち一の信号処理チャンネルを選択する第３選択手段と、
ユーザの指示に従って、前記第２パラメータの値を、前記第３選択手段が選択している信号処理チャンネルにおける前記第１パラメータの値に変更する手段とを備えることを特徴とする音響信号処理装置。
【請求項８】
コンピュータに所要のハードウェアを制御させて、請求項１乃至７のいずれか一項に記載の音響信号処理装置として機能させるためのプログラム。
【発明の詳細な説明】
【技術分野】
【０００１】
この発明は、複数の信号処理チャンネルで音響信号処理を実行し、その信号処理チャンネルにおける音響信号を試聴可能とする機能を備えた音響信号処理装置及び、そのような機能を実現するためのプログラムに関する。
【背景技術】
【０００２】
従来から、複数の信号処理ｃｈ（チャンネル）でそれぞれ音響信号処理を実行しつつ、任意に選択した信号処理ｃｈにおける音響信号を試聴できるようにした音響信号処理装置が知られている（非特許文献１参照）。このような試聴に係る機能は、キュー（ＣＵＥ）機能あるいはモニタ機能と呼ばれる。
非特許文献１に記載のデジタルミキサにおいては、ユーザがｃｈストリップに設けられたＣＵＥキーを操作することにより、そのｃｈストリップと対応する信号処理ｃｈの音響信号をＣＵＥバスに出力させ、ＣＵＥバスを通して試聴用信号として出力させることができる。
【先行技術文献】
【非特許文献】
【０００３】
【非特許文献１】「ＤＩＧＩＴＡＬ  ＭＩＸＩＮＧ  ＣＯＮＳＯＬＥ  ＣＬ５  ＣＬ３  ＣＬ１  取扱説明書」，ヤマハ株式会社，２０１２年，特にｐ．１１，１３，１５，６３，６４
【発明の概要】
【発明が解決しようとする課題】
【０００４】
ところで、従来のデジタルミキサでは、試聴用信号の出力経路には、イコライザやダイナミクスといった、信号の特性を調整する信号処理部が設けられていなかった。従って、ユーザは、レベルの調整程度はできるものの、基本的には試聴用に信号処理ｃｈから取り出した音響信号をそのまま試聴する他なかった。「試聴」についての考え方としても、所望の信号処理ｃｈの音響信号をそのまま聴く、ということが当然であった。
【０００５】
しかし、一方で、試聴用の音響信号についても信号特性を調整したいという要求もあった。例えば、公演の本番中に、会場のスピーカへ送出している音響信号の特性を調整しようとする場合、その音響信号を処理している信号処理ｃｈにおける信号処理パラメータを変更してしまうと、その変更が会場への音声出力に反映されてしまう。このため、該当の音響信号を試聴しつつ信号処理パラメータを調整し、所望の値が設定できた時点で、信号処理ｃｈにおける信号処理にその値を反映させたい等である。
【０００６】
この発明は、このような事情に鑑みてなされたものであり、本番用の音響信号に影響を与えることなく、試聴用の音響信号の特性を調整できるようにすることを目的とする。
【課題を解決するための手段】
【０００７】
上記の目的を達成するため、この発明の音響信号処理装置は、それぞれ第１信号処理部を備える複数の信号処理チャンネルを備え、その各信号処理チャンネルに入力する音響信号を前記信号処理部により処理する音響信号処理装置において、上記信号処理チャンネルの第１信号処理部と共通の信号処理を、上記第１信号処理部が使用する第１パラメータと独立に編集可能な第２パラメータの値に従って実行する第２信号処理部と、上記信号処理チャンネルにおける指定された位置の音響信号を試聴用の音響信号として取り出して上記第２信号処理部に供給する取出手段と、ユーザから受け付けた指示に従って上記第２パラメータの値を上記信号処理チャンネルにおける信号処理に反映させる設定手段とを設けたものである。
【０００８】
このような音響信号処理装置において、上記設定手段が、上記第２パラメータの値を、上記複数の信号処理チャンネルのうちユーザによって選択された特定の信号処理チャンネルにおける信号処理に反映させるとよい。
さらに、上記取出手段が上記信号処理チャンネルから音響信号を取り出す位置を選択する第１選択手段を設け、上記設定手段が、上記選択手段が選択した位置が上記第１信号処理部よりも前の位置であれば、上記反映を、上記第１パラメータの値を上記第２パラメータの値で上書きすることにより行うとよい。
【０００９】
あるいは、上記取出手段が上記信号処理チャンネルから音響信号を取り出す位置を選択する第１選択手段を設け、上記設定手段は、上記選択手段が選択した位置が上記第１信号処理部よりも後の位置であれば、上記反映を、上記第１パラメータの値に上記第２パラメータの値を合成することにより行うとよい。
【００１０】
また、上記取出手段がどの信号処理チャンネルから音響信号を取り出すかを選択する第２選択手段を備え、上記第２選択手段が信号処理チャンネルを新たに選択した場合に、上記第２パラメータの値を、上記新たに選択した信号処理チャンネルにおける上記第１パラメータの値に変更するとよい。
さらに、ユーザから受け付けた指示に従って、上記第２選択手段が選択している信号処理チャンネルにおける上記第１パラメータの値を、上記第２パラメータの値に変更する手段を備えるとよい。
【００１１】
また、上記取出手段が、ユーザが選択した複数の信号処理チャンネルから音響信号を取り出してそれらをミキシングすることにより、試聴用の音響信号を生成する手段を備え、上記ユーザが選択した複数の信号処理チャンネルのうち一の信号処理チャンネルを選択する第３選択手段と、ユーザの指示に従って、上記第２パラメータの値を、上記第３選択手段が選択している信号処理チャンネルにおける上記第１パラメータの値に変更する手段とを備えるとよい。
また、この発明は、上記のように装置として実施する他、システム、方法、プログラム、記録媒体等、任意の態様で実施することができる。
【発明の効果】
【００１２】
以上のようなこの発明の音響信号処理装置によれば、本番用の音響信号に影響を与えることなく、試聴用の音響信号の特性を調整することができる。
【図面の簡単な説明】
【００１３】
【図１】図１は、この発明の音響信号処理装置の実施形態であるデジタルミキサのハードウェア構成例を示す図である。
【図２】図１に示したＤＳＰで実行される信号処理の構成をより詳細に示す図である。
【図３】図２に示した入力ｃｈの構成をより詳細に示す図である。
【図４】図２に示した出力ｃｈの構成をより詳細に示す図である。
【図５】図２に示したキューｃｈの構成をより詳細に示す図である。
【図６】ＥＱ設定画面の表示例を示す図である。
【図７】ダイナミクス設定画面の表示例を示す図である。
【図８】キュー設定画面の表示例を示す図である。
【図９】試聴対象のｃｈが新たに選択された場合にミキサエンジンのＣＰＵが実行する処理のフローチャートである。
【図１０】同じく適用ボタンの操作を検出した場合の処理のフローチャートである。
【図１１】入力ｃｈの別の構成例を示す図である。
【発明を実施するための形態】
【００１４】
以下、この発明を実施するための形態を図面に基づいて具体的に説明する。
まず、図１に、この発明の音響信号処理装置の実施形態であるデジタルミキサの構成を示す。
図１に示すデジタルミキサ１０は、ＣＰＵ１１，ＲＯＭ１２，ＲＡＭ１３，表示Ｉ／Ｆ１４，検出Ｉ／Ｆ１５，通信Ｉ／Ｆ１６，ＤＳＰ（Digital  Signal  Processor）２０，エフェクタ２１を備え、これらが通信バス２５によって接続されている。また、表示Ｉ／Ｆ１４には表示部１７が、検出Ｉ／Ｆ１５には操作子１８が、通信Ｉ／Ｆ１６には通信入出力部（Ｉ／Ｏ）１９がそれぞれ接続されている。さらに、ＡＤ変換部２２，ＤＡ変換部２３，ＤＤ変換部２４も備え、これらは音声バス２６によりＤＳＰ２０及びエフェクタ２１と接続されている。
【００１５】
これらのうちＣＰＵ１１は、デジタルミキサ１０の動作を統括制御する制御手段であり、ＲＯＭ１２に記憶された所定のプログラムを実行することにより、各Ｉ／Ｆ１４〜１６を介した表示部１７の表示、操作子１８における操作の検出、通信Ｉ／Ｏ１９による通信等を制御したり、ＤＳＰ２０における信号処理を制御したりといった処理を行う。
ＲＯＭ１２は、ＣＰＵ１１が実行する制御プログラム等を記憶する書き換え可能な不揮発性記憶手段である。フラッシュメモリ等を用いることできる。
【００１６】
ＲＡＭ１３は、ＤＳＰ２０における信号処理に反映させるパラメータの値を記憶させたり、ＣＰＵ１１のワークメモリとして使用したりするための記憶手段である。
表示Ｉ／Ｆ１４は、表示部１７を通信バス２５に接続してＣＰＵ１１からの指示に従ってその表示内容を制御するためのインタフェースである。表示部１７は、液晶ディスプレイ（ＬＣＤ）等によって構成される表示手段である。そして、デジタルミキサ１０の現在の状態を示す画面、信号処理に用いるパラメータの参照，変更，保存等を行うための画面等を表示する。
【００１７】
検出Ｉ／Ｆ１５は、操作子１８を通信バス２５に接続してＣＰＵ１１からの指示に従ってその操作内容を検出するためのインタフェースである。操作子１８は、キー、スイッチ、ロータリーエンコーダ等によって構成され、ユーザがデジタルミキサ１０を直接操作してパラメータの編集等を行うための操作子である。
【００１８】
通信Ｉ／Ｆ１６は、通信Ｉ／Ｏ１９を通信バス２５に接続してＣＰＵ１１からの指示に従って通信Ｉ／Ｏ１９を通したデータ送受信を制御するためのインタフェースである。通信Ｉ／Ｏ１９は、ネットワークを介してあるいはピアツーピア通信により外部装置と通信を行うことができる。
【００１９】
ＤＳＰ２０は、信号処理回路を含み、入力する音響信号に対し、信号処理に反映させることが設定されている信号処理パラメータの値に従った信号処理を施す信号処理手段である。エフェクタ２１は、入力する音響信号に対し、リバーブやコーラスを始めとする種々のエフェクト付与を行って出力する機能を有する。
【００２０】
ＡＤ変換部２２は、複数の入力端子から入力するアナログ音響信号をそれぞれデジタル波形データに変換して音声バス２６に供給する機能を備える。ＤＡ変換部２３は、音声バス２６から取得した複数ｃｈのデジタル波形データをそれぞれアナログ音響信号に変換して、該波形データと対応付けられた出力端子から出力する機能を備える。ＤＤ変換部２４は、音声バス２６と端子との間でデジタル波形データを入出力するために必要なフォーマット変換を行う機能を備える。
【００２１】
また、音声バス２６は、時分割でデジタル波形データを複数ｃｈ伝送可能であり、各ｃｈは音声バス２６に接続されているいずれかのプロセッサ（エフェクタを含む）又は変換部の出力から他のプロセッサ又は変換部の入力へと信号を伝える信号伝送路として機能する。
【００２２】
次に、図２乃至図５に、図１に示したＤＳＰ２０で実行される信号処理の構成をより詳細に示す。
図２に示すように、ＤＳＰ２０での信号処理は、入力パッチ１１０、入力ｃｈ（チャンネル）１２０、ミキシングバス１３０、出力ｃｈ１４０、キューバス１５０、キュー（モニタ）出力ｃｈ１６０、出力パッチ１７０を備える。
【００２３】
そして、ＤＳＰ２０においては、入力パッチ１１０により、１番目（１２０−１）からＮ番目（１２０−Ｎ）までＮｃｈある入力ｃｈ１２０にそれぞれ、ＡＤ変換部２２又はＤＤ変換部２４の入力端子と対応するように用意された入力ポートのいずれかをパッチ（結線）することができる。
【００２４】
各入力ｃｈ１２０では、そのパッチされた入力ポートから入力する音響信号に対して、図３に示すように、ヘッドアンプ（ＨＡ）１２１、ハイパスフィルタ（ＨＰＦ）１２２、イコライザ（ＥＱ）１２３、ダイナミクス１２４、およびレベル調整部１２５の各信号処理部により信号処理を行った後、１番目からＭ番目までＭ系統あるミキシングバス１３０のうち任意のバスに対して、処理後の信号を送出する。なお、入力ｃｈ１２０中の各ｃｈからミキシングバス１３０中の各バスに対する出力のレベル及びオンオフは、個別に設定可能である。
【００２５】
また、入力ｃｈ１２０は、図３に示すように３箇所に設けられた取り出し位置Ｐ１〜Ｐ３のいずれかから取り出した音響信号を、試聴用の信号としてキューバス１５０に対して送出することができる。スイッチ１２６が、この取り出し位置の切り替えを行う。なお、スイッチ１２６は、第１選択手段として機能するＣＰＵ１１により、どの取り出し位置につながる接点を選択するかを制御される。
また、キューバス１５０への信号の送出を行うのは、試聴対象としてユーザが選択したｃｈのみである。選択されていないｃｈにおいては、スイッチ１２６は、いずれの取り出し位置とも接続されない接点を選択する。
【００２６】
また、各系統のミキシングバス１３０では、各入力ｃｈ１２０から入力する信号をミキシングし、ミキシング後の信号を、各系統と対応して１番目（１４０−１）からＭ番目（１４０−Ｍ）までＭｃｈ設けられた出力ｃｈ１４０にそれぞれ出力する。
そして、各出力ｃｈ１４０では、対応するミキシングバスから入力する音響信号に対して、図４に示すように、イコライザ１４３、ダイナミクス１４４、およびレベル調整部１４５の各信号処理部により信号処理を行う。
【００２７】
また、出力ｃｈ１４０も、図４に示すように３箇所に設けられた取り出し位置Ｐ４〜Ｐ６のいずれかから取り出した音響信号を、試聴用の信号としてキューバス１５０に対して送出することができる。スイッチ１４６が、この取り出し位置の切り替えを行う、スイッチ１２６と対応するスイッチである。また、キューバス１５０への信号の送出を行うのは、試聴対象としてユーザが選択したｃｈのみである。選択されていないｃｈにおいては、スイッチ１４６は、いずれの取り出し位置とも接続されない接点を選択する。
なお、デジタルミキサ１０の機能としては、入力ｃｈ１２０と出力ｃｈ１４０を同時に試聴対象として選択することも可能である。しかし、通常は、入力ｃｈ１２０と出力ｃｈ１４０の一方のみを試聴対象として選択することが想定される。
【００２８】
キューバス１５０は、各入力ｃｈ１２０及び各出力ｃｈ１４０から入力する信号をミキシングし、ミキシング後の信号を、キュー出力ｃｈ１６０に出力する。このキューバス１５０が、キュースイッチ１２６及びキュースイッチ１４６と合わせて取出手段として機能する。
キュー出力ｃｈ１６０では、キューバス１５０から入力する音響信号に対して、図５に示すように、アッテネータ１６１、イコライザ１６３、ダイナミクス１６４、およびレベル調整部１６５の各信号処理部により信号処理を行う。
【００２９】
これらのうちイコライザ１６３は、入力ｃｈ１２０におけるイコライザ１２３及び出力ｃｈ１４０におけるイコライザ１４３と同じアルゴリズムの信号処理を行う。ただし、信号処理に使用するパラメータは、イコライザ１２３及びイコライザ１４３とは別項目のパラメータとして用意され、独立に編集可能である。
【００３０】
これらのうちイコライザ１２３及びイコライザ１４３が第１信号処理部であり、イコライザ１６３が第２信号処理部である。また、イコライザ１２３及びイコライザ１４３が使用するパラメータが第１パラメータ、イコライザ１６３が使用するパラメータが第２パラメータである。そして、後述のように、デジタルミキサ１０は、ユーザの操作に応じて、第２パラメータの値を第１パラメータの値で上書きしたり、第１パラメータの値を第２パラメータの値で上書きしたり、第１パラメータの値に第２パラメータの値を合成したりすることができる。
ダイナミクス１６４と、入力ｃｈ１２０におけるダイナミクス１２４及び出力ｃｈ１４０におけるダイナミクス１４４とも、上記のイコライザ１２３，１４３，１６３と同じ関係にある。
【００３１】
なお、アッテネータ１６１は、デジタルミキサ１０では入力ｃｈ１２０や出力ｃｈ１４０には設けていない信号処理部である。レベル調整部１６５は、入力ｃｈ１２０のレベル調整部１２５及び出力ｃｈ１４０のレベル調整部１４５と基本的には同じアルゴリズムの信号処理を行うが、上記のようなパラメータを相互に上書きしたり合成したりする対象とはしていない。
【００３２】
出力パッチ１７０は、各出力ｃｈ１４０及びキュー出力ｃｈ１６０を、ＤＡ変換部２３又はＤＤ変換部２４に設けた出力端子と対応するように用意された出力ポートにパッチし、各ｃｈによる処理後の信号をパッチ先の出力ポートに供給してそこから出力させる。なお、キュー出力ｃｈ１６０のパッチ先は、固定のモニタ出力用の出力ポートである。
【００３３】
なお、ＤＳＰ２０に設けるこれらの各部による信号処理は、上述した第１パラメータ及び第２パラメータを含む、メモリに記憶される所定のパラメータの値を設定することにより制御可能である。また、各部の機能は、ソフトウェアによって実現してもハードウェアによって実現してもよい。
【００３４】
次に、信号処理に反映させるパラメータの値を編集するための画面の例を示す。
まず図６に、ユーザからイコライザに関するパラメータの編集操作を受け付けるための画面の例を示す。このＥＱ設定画面３００は、入力ｃｈ１２０、出力ｃｈ１４０及びモニタ出力ｃｈ１６０のいずれに設けられたイコライザ１２３，１４３，１６３についても、共通して使用可能な画面である。これらの各イコライザ１２３，１４３，１６３は同じアルゴリズムで信号処理を行い、同じ種類のパラメータを使用するためである。ただし、これらは別々の信号処理部であるので、編集対象として個別に選択することができる。
【００３５】
デジタルミキサ１０は、ユーザから、ｃｈの指定と、イコライザパラメータの編集を行う旨の指示を受け付けると、該当ｃｈのイコライザに関するパラメータの編集操作を受け付けるための画面として、図６に示すＥＱ設定画面３００を表示部１７に表示させる。
このＥＱ設定画面３００は、バンド選択部３０１、オンオフ設定部３０２、Ｑ値設定部３０３、中心周波数設定部３０４、ゲイン設定部３０５、周波数特性表示部３０６、およびレベルメータ３０７を備える。これらの各部における編集操作は、ただちに信号処理に反映させるパラメータの値（すなわち実行中の信号処理）や、画面の表示に反映される。
【００３６】
これらのうちバンド選択部３０１は、Ｑ値設定部３０３、中心周波数設定部３０４およびゲイン設定部３０５にて特性を編集するバンドを選択するためのボタンを設けた部分である。図６の例では、イコライザは４バンドであるとし、それに対応して４つのボタンを設けている。
オンオフ設定部３０２は、イコライザの機能のオンオフを切り替えるためのボタンである。イコライザの機能がオフにされている場合、イコライザにはフラットな周波数特性が設定されているとみなすことができる。
【００３７】
Ｑ値設定部３０３、中心周波数設定部３０４およびゲイン設定部３０５はそれぞれ、編集対象として選択されているバンドにおけるＱ値、中心周波数およびゲインの値を設定するための操作子である。
周波数特性表示部３０６は、４バンドにおけるＱ値、中心周波数およびゲインの設定値に基づき、イコライザ全体としての周波数特性を表示する部分である。
レベルメータ３０７は、編集中のイコライザを含むｃｈの当該イコライザの位置において処理中の音響信号のレベルを表示する部分である。
【００３８】
以上の各部に対する操作は、タッチパネルにおける操作子と対応する位置への操作として受け付けてもよいし、画面外のボタンやつまみ等の物理操作子にパラメータを割り当てて、これらの物理操作子によって受け付けてもよい。その編集操作は、対象のイコライザが入力ｃｈ１２０のものであっても、出力ｃｈ１４０のものであっても、モニタ出力ｃｈ１６０のものであっても、基本的には同じように行うことができる。
【００３９】
次に図７に、ユーザからダイナミクスに関するパラメータの編集操作を受け付けるための画面の例を示す。この画面は、設定を受け付けるパラメータの項目が図６のＥＱ設定画面３００と異なるのみであり、それ以外の基本的な機能についてはＥＱ設定画面３００と共通である。
図７のダイナミクス設定画面３１０は、オンオフ設定部３１１、閾値設定部３１２、変換比設定部３１３、ゲイン設定部３１４、ゲイン特性表示部３１５、およびレベルメータ３１６を備える。
【００４０】
これらのうちオンオフ設定部３１１は、ダイナミクスの機能のオンオフを切り替えるためのボタンである。ダイナミクスの機能がオフにされている場合、ダイナミクスには入力信号のレベルを調整せずそのまま出力する旨の特性が設定されているとみなすことができる。
【００４１】
閾値設定部３１２、変換比設定部３１３およびゲイン設定部３１４はそれぞれ、ダイナミクスにおける入力信号のレベルと出力信号のレベルとの関係を規定するための閾値、変換比及びゲインのパラメータを設定するための操作子である。
ゲイン特性表示部３１５は、それらのパラメータに基づき定まる、入力信号のレベルと出力信号のレベルとの関係を表示する部分である。
レベルメータ３１６は、編集中のダイナミクスを含むｃｈの当該ダイナミクスの位置において処理中の音響信号のレベルを表示する部分である。
【００４２】
次に、図８に、ユーザから試聴に関する設定を受け付けるための画面の例を示す。
図８に示すキュー設定画面３２０は、ユーザから、キューバス１５０及びキュー出力ｃｈ１６０を用いた試聴に関する設定を受け付けるための画面である。そして、入力ｃｈ選択部３２１、出力ｃｈ選択部３２２、適用ボタン３２３及び閉じるボタン３２４を備える。
【００４３】
これらのうち入力ｃｈ選択部３２１及び出力ｃｈ選択部３２２には、それぞれ入力ｃｈ１２０及び出力ｃｈ１４０に含まれる各ｃｈと対応するボタンが設けられる。そして、ユーザは、これらのボタンを操作することにより、該当のｃｈを試聴対象とすること、およびキュー出力ｃｈ１６０におけるパラメータの反映先とすることを設定することができる。
【００４４】
図８の例では、ボタンにハッチングのないｃｈが試聴対象として選択されており、ハッチングのあるｃｈは試聴対象として選択されていない。また、破線でボタンが囲まれているｃｈは、キュー出力ｃｈ１６０におけるパラメータの反映先とすることが設定されており、囲まれていないｃｈは、反映先としないことが設定されている。
例えば、ユーザは、各ボタンをシングルクリックすることにより、対応するｃｈを試聴対象とするか否かをトグルで切り替えることができる。また、試聴対象として選択されているｃｈの（ハッチングのない状態の）ボタンをダブルクリックすることにより、該当のｃｈをパラメータの反映先とするか否かをトグルで切り替えることができる。なお、あるｃｈが試聴対象でなくなった場合には、そのｃｈは自動的に反映先でもなくなるものとする。
【００４５】
以上の入力ｃｈ選択部３２１及び出力ｃｈ選択部３２２における操作のうち、試聴対象の選択及びその解除は、直ちにデジタルミキサ１０の信号処理及び画面の表示に反映される。この試聴対象の選択及び解除に際し、ＣＰＵ１１は第２選択手段として機能する。反映先の指定及びその解除は、操作時点では単に表示に反映されるのみである。
なお、試聴対象の選択及びその解除は、デジタルミキサ１０の操作パネル上のｃｈストリップに設けたキュースイッチを操作して行うこともできる。
【００４６】
次に、適用ボタン３２３は、キュー出力ｃｈ１６０におけるイコライザ１６３及びダイナミクス１６４のパラメータの値を、反映先として選択されているｃｈにおけるイコライザ及びダイナミクスにおける信号処理に反映させることを指示するためのボタンである。この反映を具体的にどのように行うかについては、後に詳述する。
閉じるボタン３２４は、キュー設定画面３２０を閉じることを指示するためのボタンである。
【００４７】
なお、試聴対象とするｃｈから音響信号を取り出すための取り出し位置は、キュー設定画面３２０とは異なる画面において、全ｃｈについて一律に設定することができる。その選択肢は、イコライザ１２３，１４３の前（Ｐ１，Ｐ４）、ダイナミクス１２４，１４４の後（Ｐ２，Ｐ５）、レベル調整部１２５，１４５の後（Ｐ３，Ｐ６）である。取り出し位置については、入力ｃｈ１２０と出力ｃｈ１４０の双方について、共通の設定が適用される。
【００４８】
次に、図８に示したキュー設定画面３２０における操作をミキサエンジン１０の動作に反映させるための処理について説明する。
まず図９に、試聴対象のｃｈが新たに選択された場合にミキサエンジン１０のＣＰＵ１１が実行する処理のフローチャートを示す。
【００４９】
ＣＰＵ１１は、キュー設定画面３２０において試聴対象のｃｈが新たに選択されたことを検出した場合、図９のフローチャートに示す処理を開始する。そしてまず、既に試聴対象となっているｃｈがあるか否か判断する（Ｓ１１）。あった場合、ＣＰＵ１１は、このケースにおいてキュー出力ｃｈ１６０の現在のイコライザ１６３及びダイナミクス１６４のパラメータの値をそのまま変更せずに使用するか否かの設定を参照する（Ｓ１２）。この設定は、ミキサエンジン１０全体に関する設定としてユーザが行うものである。
【００５０】
そして、そのまま使用する旨の設定であれば、ＣＰＵ１１は、ステップＳ１３乃至Ｓ１６の処理をスキップして、ステップＳ１７に進む。一方、変更してよい旨の設定であれば、ステップＳ１３に進む。
ステップＳ１１で試聴対象となっているｃｈがなかった場合にも、ＣＰＵ１１はステップＳ１３に進む。
【００５１】
ステップＳ１３では、ＣＰＵ１１は、信号の取り出し位置を判定する（Ｓ１３）。なお、この判定は、選択された試聴対象ｃｈのイコライザ及びダイナミクスのパラメータを、キュー出力ｃｈ１６０での信号処理に用いるか否かを判断するために行うものであるので、取り出し位置がイコライザ及びダイナミクスの前か後ろかを判定すればよい。ここでは、Ｐ１，Ｐ４が選択されていれば前（Pre  EQ/Dyna）、それ以外であれば後（Post  EQ/Dyna）である。
【００５２】
ステップＳ１３で後ろである場合、ＣＰＵ１１は、キュー出力ｃｈ１６０のイコライザ１６３及びダイナミクス１６４に関するパラメータの値をデフォルト値に戻す（Ｓ１４）。このことによりユーザが、取り出し位置における音響信号を、アッテネータ１６１及びレベル調整部１６５におけるレベル調整を行う以外はそのまま試聴できるようにしている。なお、デジタルミキサ１０において、イコライザ１６３のパラメータのデフォルト値は、周波数特性をフラットにする値であり、ダイナミクス１６４のパラメータのデフォルト値は、入力と出力でレベルを変化させない値である。すなわち、入力と出力で信号特性を変化させないような値である。
【００５３】
一方、ステップＳ１３で前である場合も、同様にキュー出力ｃｈ１６０のパラメータの値をデフォルト値に戻すことにより、取り出し位置における音響信号をそのまま試聴できるようにしてもよい。
しかし、デジタルミキサ１０においては、試聴対象ｃｈにおけるパラメータの値の調整に適した状態で試聴を行うこともできるようにしている。これは、今回選択された試聴対象ｃｈにおけるイコライザ及びダイナミクスのパラメータの値を、キュー出力ｃｈ１６０のイコライザ１６３及びダイナミクス１６４のパラメータの値に上書きすることにより実現される。
【００５４】
このようにすれば、キュー出力ｃｈ１６０からは、アッテネータ１６１及びレベル調整部１６５におけるレベル調整分の差や、他の試聴対象ｃｈがあればそちらからの音響信号とミキシングされているという違いはあるものの、今回選択された試聴対象ｃｈから出力される音響信号と概ね同じ特性の音響信号が出力されることになる。そして、この状態から、イコライザ１６３及びダイナミクス１６４のパラメータを編集できる。すなわち、試聴対象ｃｈにおける現在の設定を微調整するような編集操作を容易に行うことができる。
そして、その編集結果を逆に試聴対象ｃｈにおけるイコライザ及びダイナミクスのパラメータの値に上書きすることにより、試聴していた音響信号と同じ特性が得られるようなパラメータの値を、容易に試聴対象ｃｈに設定することができる。
【００５５】
そこで、ステップＳ１３で前の場合、ＣＰＵ１１は、今回選択された試聴対象ｃｈのパラメータの値を利用する旨の設定がなされているか否か判断し（Ｓ１５）、なされていれば、上述のようなパラメータの値の上書き（Ｓ１６）を行う。なされていなければ、イコライザ１６３及びダイナミクス１６４のパラメータの値をデフォルト値に戻す（Ｓ１４）。ステップＳ１５で参照する設定は、ステップＳ１２で参照した設定とは別に、ミキサエンジン１０全体に関する設定としてユーザが行うものである。
【００５６】
以上のいずれの場合も、最後に、ＣＰＵ１１は、選択された試聴対象ｃｈの信号がキューバス１５０に出力されるよう、試聴対象ｃｈのキュースイッチ１２６又は１４６を制御して、図９の処理を終了する。なお、どの取り出し位置の音響信号をキューバス１５０に出力するかは、取り出し位置の設定に従う。ＣＰＵ１１は、その後取り出し手段として機能し、試聴対象ｃｈにおける取り出し位置の音響信号を、試聴要の音響信号として取り出し、キューバス１５０へ供給する。
【００５７】
次に図１０に、適用ボタン３２３の操作を検出した場合にＣＰＵ１１が実行する処理のフローチャートを示す。
この場合、図１０に示すように、ＣＰＵ１１は、試聴用信号の取り出し位置に従って（Ｓ２１）、キュー出力ｃｈ１６０のイコライザ１６３及びダイナミクス１６４のパラメータの値を、反映先として選択されているｃｈにおけるイコライザ及びダイナミクスの信号処理に反映させるための処理（Ｓ２２〜Ｓ２４）を行う。なお、ステップＳ２１では、図９のステップＳ１３と同様、取り出し位置がイコライザ及びダイナミクスの前か後ろかを判定すればよい。
【００５８】
まず、ステップＳ２１で前であった場合、図９の説明で述べた通り、キュー出力ｃｈ１６０のイコライザ１６３及びダイナミクス１６４のパラメータの値を、反映先のｃｈにおけるイコライザ及びダイナミクスのパラメータの値に上書きすればよい（Ｓ２２）。このことにより、反映先のｃｈから、今試聴している音響信号と概ね同じ特性の音響信号を出力させることができるという意味で、キュー出力ｃｈ１６０におけるパラメータの値を、反映先のｃｈにおける信号処理に反映させることができる。
【００５９】
一方、ステップＳ２１で後であった場合、キュー出力ｃｈ１６０のイコライザ１６３のパラメータの値と、反映先のｃｈにおけるイコライザのパラメータの値との合成値を、反映先のｃｈにおけるイコライザのパラメータの値として設定する（Ｓ２３）。また、キュー出力ｃｈ１６０のダイナミクス１６４のパラメータの値と、反映先のｃｈにおけるダイナミクスのパラメータの値との合成値を、反映先のｃｈにおけるダイナミクスのパラメータの値として設定する（Ｓ２４）。すなわち、反映先のｃｈにおけるパラメータの値に、キュー出力ｃｈ１６０のパラメータの値を合成する。
【００６０】
ここで、「合成値」とは、反映先のｃｈの信号処理部とキュー出力ｃｈの対応する信号処理部とで続けて信号処理を行ったとした場合の、入力と出力との関係が得られるようなパラメータの値を言う。イコライザであれば、２つのイコライザの各周波数におけるゲイン値を乗算（デシベル値であれば加算）して得られる合計の周波数特性が、１つのイコライザで得られるようにするためのパラメータの値が合成値である。ダイナミクスであれば、１つめのダイナミクスに対する入力信号のレベルと、１つめのダイナミクスの出力信号を２つめのダイナミクスに入力して得られる２つめのダイナミクスの出力信号のレベルとの関係を、１つのダイナミクスで得られるようにするためのパラメータの値が合成値である。
【００６１】
このような合成値は、２つのイコライザあるいはダイナミクスのパラメータの値から、既知の任意の演算によって求めることができる。必ずしも完全な合成でなくても、特性を近似させられるようなパラメータの値が得られればよい。
以上の図１０の処理において、ＣＰＵ１１は設定手段として機能する。なお、ステップＳ２２乃至Ｓ２４における反映において、試聴対象ｃｈにおける信号の特性が急激に変化しないよう、徐々にパラメータの値を変更するとよい。
【００６２】
以上説明してきたデジタルミキサ１０においては、キュー出力ｃｈ１６０に、試聴対象の入力ｃｈ１２０や出力ｃｈ１４０の信号処理部と共通の信号処理を、試聴対象のｃｈにおいて使用するパラメータと独立に編集可能なパラメータの値に従って行うイコライザ１６３及びダイナミクス１６４を設けている。そして、このことにより、試聴対象のｃｈで処理している本番用等の音響信号に影響を与えることなく、試聴用の音響信号の特性を調整することができる。
【００６３】
また、キュー出力ｃｈ１６０から出力される音響信号を試聴しつつ調整したキュー出力ｃｈ１６０のパラメータの値を、所望の試聴対象ｃｈにおける信号処理に反映させることができる。従って、試聴対象のｃｈで処理している本番用等の音響信号の特性を、編集途中の調整過程を会場等の聴取者に聴かれることなく、所望の特性に変更することができる。
【００６４】
以上で実施形態の説明を終了するが、装置の構成、画面の具体的な構成、具体的な処理の手順、各ｃｈに設ける信号処理部の種類などが、上述の実施形態で説明したものに限られないことはもちろんである。
例えば、入力ｃｈ１２０及び出力ｃｈ１４０と、キュー出力ｃｈ１６０とに共通して設ける信号処理部が、イコライザ及びダイナミクスであることは必須ではない。これらの一方のみでもよいし、これらと全く異なる信号処理部を設けてもよい。信号処理部の下図も任意である。
【００６５】
また、デジタルミキサ１０が入力ｃｈ１２０及び出力ｃｈ１４０以外の信号処理ｃｈを備える場合、その信号処理ｃｈも試聴対象として選択してよいことは、もちろんである。
また、図１０のステップＳ２３及びＳ２４での「合成」につき、反映先となり得る入力ｃｈ１２０及び出力ｃｈ１４０に、反映用の信号処理部を予め設けておき、その反映用の信号処理部に、キュー出力ｃｈ１６０のパラメータをコピーする形で行うことも考えられる。
【００６６】
図１１に、この手法を採る場合の入力ｃｈの構成例を示す。図１１において、図３と共通する構成には同じ符号を用いている。
図１１に示す入力ｃｈ１２０′は、図３の入力ｃｈ１２０に加え、イコライザ１２３の直後に第２イコライザ１２７を設け、ダイナミクス１２４の直後に第２ダイナミクス１２８を設けている。第２イコライザ１２７及び第２ダイナミクス１２８は、それぞれイコライザ１２３及びダイナミクス１２４と同じアルゴリズムの信号処理を行う。しかし、使用するパラメータは、別項目のものである。また、第２イコライザ１２７及び第２ダイナミクス１２８が使用するパラメータの初期値は、入力信号の特性を変化させないものであり、ユーザによる編集は基本的に受け付けないようにする。
【００６７】
そして、図１０のステップＳ２３及びＳ２４において、キュー出力ｃｈ１６０のイコライザ１６３及びダイナミクス１６４のパラメータの値を、第２イコライザ１２７及び第２ダイナミクス１２８が使用するパラメータの値としてコピーする。
このことにより、入力ｃｈ１２０′全体として、イコライザ１２３と第２イコライザ１２７により、イコライザ１２３とイコライザ１６３とを合成した特性の信号処理が可能となる。ダイナミクスについても同様である。
【００６８】
ＤＳＰ２０の信号処理能力に余裕があり、かつ一度だけキュー出力ｃｈ１６０のパラメータを反映先に反映させればよいのであれば、このような手法を採ることにより、複雑な計算を行うことなく、高速にパラメータの反映を行うことができる。出力ｃｈ１４０についても同様な対応が可能であることは、もちろんである。
なお、イコライザについては、例えばイコライザ１２３を８バンドのイコライザとし、そのうち４バンドを、ユーザが設定したパラメータの値に従って動作させ、残りの４バンドを、上述の第２イコライザ１２７のように用いることも考えられる。
【００６９】
また、図９のステップＳ１６においてキュー出力ｃｈ１６０のイコライザ１６３及びダイナミクス１６４のパラメータの値のコピー元とするｃｈを、試聴対象としているｃｈの中からユーザが任意に選択できるようにしてもよい。この選択に際し、ＣＰＵ１１が第３選択手段として機能する。このことにより、ユーザは編集の基準とするパラメータの値をより柔軟に選択及び設定することができる。
【００７０】
また、以上説明したデジタルミキサ１０の機能は、汎用コンピュータに所要のプログラムを実行させることによっても実現可能である。この場合、音響信号を入出力するための入出力装置をそのコンピュータに接続するとよい。また、デジタルミキサ１０の機能を、複数の装置に分散して設け、それらを協働させて、デジタルミキサ１０と同等な機能を備えるシステムとして動作させることもできる。
【００７１】
また、上記のプログラムは、はじめからコンピュータに備えるＲＯＭや他の不揮発性記憶媒体（フラッシュメモリ，ＥＥＰＲＯＭ等）などに格納しておいてもよい。しかし、メモリカード、ＣＤ、ＤＶＤ、ブルーレイディスク等の任意の不揮発性記録媒体に記録して提供することもできる。それらの記録媒体に記録されたプログラムをコンピュータにインストールして実行させることにより、必要な処理をコンピュータに実行させることができる。
さらに、ネットワークに接続され、プログラムを記録した記録媒体を備える外部装置あるいはプログラムを記憶手段に記憶した外部装置からダウンロードし、コンピュータにインストールして実行させることも可能である。
【００７２】
また、この発明は、デジタルミキサ以外にも、複数の信号処理チャンネルで信号処理を行う任意の音響信号処理装置に適用可能である。例えば、エフェクタ、レコーダ、アンプ、シンセサイザ等に適用することが考えられる。
また、以上述べてきた構成及び変形例は、矛盾しない範囲で適宜組み合わせて適用することも可能である。
【産業上の利用可能性】
【００７３】
以上の説明から明らかなように、この発明によれば、本番用の音響信号に影響を与えることなく、試聴用の音響信号の特性を調整することができる。
従って、この発明を適用することにより、音響信号処理装置における試聴機能の利便性を向上させることができる。
【符号の説明】
【００７４】
１０…デジタルミキサ、１１…ＣＰＵ、１２…ＲＯＭ、１３…ＲＡＭ、１４…表示Ｉ／Ｆ、１５…検出Ｉ／Ｆ、１６…通信Ｉ／Ｆ、１７…表示部、１８…操作子、１９…通信Ｉ／Ｏ、２０…ＤＳＰ、２１…エフェクタ、２２…ＡＤ変換部、２３…ＤＡ変換部、２４…ＤＤ変換部、２５…通信バス、２６…音声バス、１１０…入力パッチ、１２０…入力ｃｈ、１２１…ヘッドアンプ、１２２…ハイパスフィルタ、１２３，１４３，１６３…イコライザ、１２４，１４４，１６４…ダイナミクス、１２５，１４５，１６５…レベル調整部、１２６，１４６…キュースイッチ、１３０…ミキシングバス、１４０…出力ｃｈ、１５０…キューバス、１６０…キュー出力ｃｈ、１６１…アッテネータ、１７０…出力パッチ、３００…ＥＱ設定画面、３１０…ダイナミクス設定画面、３２０…キュー設定画面
【図１】
0006507749.tif 000002
【図２】
0006507749.tif 000003
【図３】
0006507749.tif 000004
【図４】
0006507749.tif 000005
【図５】
0006507749.tif 000006
【図６】
0006507749.tif 000007
【図７】
0006507749.tif 000008
【図８】
0006507749.tif 000009
【図９】
0006507749.tif 000010
【図１０】
0006507749.tif 000011
【図１１】
0006507749.tif 000012